【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記現像ローラを前記感光体から離間させるために用いられる付勢力を前記本体側付勢部材から受ける付勢力受け部と、
（ｉｖ）前記本体側駆動伝達部材とカップリング可能に構成され、前記現像ローラを回転させるための回転力を前記本体側駆動伝達部材から受けるカートリッジ側駆動伝達部材と、
（ｖ）前記付勢力受け部が前記付勢力を受けることに応じて、前記カートリッジ側駆動伝達部材と前記本体側駆動伝達部材とのカップリングを解除するためのカップリング解除部材と、
を有するプロセスカートリッジ。
【請求項２】
前記カートリッジ側駆動伝達部材は、
（ｉ）前記本体側駆動伝達部材とカップリング可能であって、前記本体側駆動伝達部材からの回転力が伝達されうる第１の位置と、
（ｉｉ）前記第１の位置より前記カートリッジの内部に向かって移動した位置であって、
前記本体側駆動伝達部材とのカップリングが解除され、前記本体側駆動伝達部材からの回転力が伝達されない第２の位置と、
の間を移動可能な構成であることを特徴とする請求項１に記載のプロセスカートリッジ。
【請求項３】
前記カップリング解除部材は、（ｉ）前記カートリッジ側駆動伝達部材を前記カートリッジの内部に向かうように移動させるために用いられる力を受け得る力受け部と、（ｉｉ）前記力受け部が受けた前記力によって前記カートリッジ側駆動伝達部材を付勢可能な付勢部と、を有する請求項１または２に記載のプロセスカートリッジ。
【請求項４】
前記カップリング解除部材は、前記現像ローラの回転軸線と実質的に平行に移動可能に構成されていることを特徴とする請求項１乃至３のいずれか１項に記載のプロセスカートリッジ。
【請求項５】
前記カップリング解除部材を前記現像ローラの回転軸線と実質的に平行に移動させるべく、前記カップリング解除部材の被ガイド部をガイドするガイド部を有することを特徴とする請求項４に記載のプロセスカートリッジ。
【請求項６】
前記ガイド部および前記被ガイド部は共に、前記現像ローラの回転軸線と実質的に平行に形成されていることを特徴とする請求項５に記載のプロセスカートリッジ。
【請求項７】
更に、カートリッジ枠体を有し、
前記カートリッジ枠体が前記ガイド部を有していることを特徴とする請求項５又は６に記載のプロセスカートリッジ。
【請求項８】
前記カップリング解除部材が前記現像ローラの回転軸線と実質的に平行に移動することにより、前記カップリング解除部材の前記付勢部によって、前記カートリッジ側駆動伝達部材が前記現像ローラの回転軸線と実質的に平行に移動するように構成されていることを特徴とする請求項３乃至７のいずれか１項に記載のプロセスカートリッジ。
【請求項９】
前記現像ローラの軸線と平行な仮想線に前記カップリング解除部材と前記カートリッジ側駆動伝達部材とを投影させたときに、前記カップリング解除部材の少なくとも一部の領域と前記カートリッジ側駆動伝達部材の少なくとも一部の領域とが互いに重なるように構成されていることを特徴とする請求項１乃至８のいずれか１項に記載のプロセスカートリッジ。
【請求項１０】
前記仮想線に前記カップリング解除部材と前記カートリッジ側駆動伝達部材とを投影させたときに、前記カップリング解除部材の領域はカートリッジ側駆動伝達部材の領域内に位置することを特徴とする請求項９に記載のプロセスカートリッジ。
【請求項１１】
前記カートリッジ側駆動伝達部材が受けた前記回転力を前記現像ローラへ伝達可能なその他のカートリッジ側駆動伝達部材をさらに有することを特徴とする請求項１乃至１０のいずれか一項に記載のプロセスカートリッジ。
【請求項１２】
前記現像ローラの軸線と平行な仮想線に前記カートリッジ側駆動伝達部材と前記その他のカートリッジ側駆動伝達部材とを投影させたときに、前記カートリッジ側駆動伝達部材の一部の領域と前記その他のカートリッジ側駆動伝達部材の少なくとも一部の領域とが互いに重なるように構成されていることを特徴とする請求項１１に記載のプロセスカートリッジ。
【請求項１３】
前記その他のカートリッジ側駆動伝達部材と前記カートリッジ側駆動伝達部材とは、互いに同軸となるように直接係合していることを特徴とする請求項１１または１２に記載のプロセスカートリッジ。
【請求項１４】
更に、前記その他のカートリッジ側駆動伝達部材から受けた前記回転力を前記現像ローラへ伝達するための現像ローラ駆動伝達部材を有することを特徴とする請求項１１乃至１３のいずれか１項に記載のプロセスカートリッジ。
【請求項１５】
前記その他のカートリッジ側駆動伝達部材が前記カートリッジの内部に向かって移動するように、前記現像ローラ駆動伝達部材が前記その他のカートリッジ側駆動伝達部材を移動可能に支持していることを特徴とする請求項１４に記載のカートリッジ。
【請求項１６】
更に、前記カートリッジ側駆動伝達部材から受けた前記回転力を前記現像ローラへ伝達するための現像ローラ駆動伝達部材を有することを特徴とする請求項１乃至１０のいずれか１項に記載のプロセスカートリッジ。
【請求項１７】
前記カートリッジ側駆動伝達部材が前記カートリッジの内部に向かって移動するように、前記現像ローラ駆動伝達部材が前記カートリッジ側駆動伝達部材を移動可能に支持していることを特徴とする請求項１６に記載のプロセスカートリッジ。
【請求項１８】
前記その他のカートリッジ側駆動伝達部材は、実質的に円筒形状であり、
前記カートリッジ側駆動伝達部材は、前記その他のカートリッジ側駆動伝達部材の内側で、その回転軸線に沿って往復可能に構成されていることを特徴とする請求項１１乃至１４のいずれか１項に記載のプロセスカートリッジ。
【請求項１９】
前記その他のカートリッジ側駆動伝達部材は、その回転軸線と平行な軸部を有しており、
前記カートリッジ側駆動伝達部材は、穴部を有しており、
前記穴部が前記軸部に係合した状態で、前記カートリッジ側駆動伝達部材が前記軸部に沿って往復可能に構成されていることを特徴とする請求項１８に記載のプロセスカートリッジ。
【請求項２０】
前記その他のカートリッジ側駆動伝達部材は、前記穴部と前記軸部の係合を通じて、前記カートリッジ側駆動伝達部材から前記回転力を受けることを特徴とする請求項１９に記載のプロセスカートリッジ。
【請求項２１】
前記軸部は、前記その他のカートリッジ側駆動伝達部材の回転軸線の周りに複数設けられており、
前記穴部も、前記カートリッジ側駆動伝達部材の回転軸線の周りに複数設けられており、それぞれが互いに係合した状態で、前記カートリッジ側駆動伝達部材が前記軸部に沿って往復可能に構成されていることを特徴とする請求項１９または２０に記載のプロセスカートリッジ。
【請求項２２】
更に、前記カートリッジ側駆動伝達部材と前記その他のカートリッジ側駆動伝達部材との間に配置された弾性部材を有することを特徴とする請求項１９に記載のカートリッジ。
【請求項２３】
前記その他のカートリッジ側駆動伝達部材は、その外周に前記現像ローラへ前記回転力を伝達するためのギア部を有することを特徴とする請求項１８乃至２２のいずれか１項に記載のプロセスカートリッジ。
【請求項２４】
前記現像ローラを回転可能に支持する現像枠体と、
前記現像枠体に対し回動可能な回動部材と、
を有しており、
前記回動部材は、その回動によって前記力受け部に前記力を付勢する他の付勢部を有することを特徴とする請求項３乃至２３のいずれか１項に記載のプロセスカートリッジ。
【請求項２５】
前記力受け部および前記他の付勢部が共に、前記現像ローラの回転軸線に対して傾斜していることを特徴とする請求項２４に記載のプロセスカートリッジ。
【請求項２６】
前記カートリッジが電子写真画像形成装置本体に装着され且つ前記カートリッジ側駆動伝達部材が前記カートリッジの内部に向かって移動した状態においても、前記力受け部と前記他の付勢部とが互いに傾斜している部分で接触するよう構成されたことを特徴とする請求項２５に記載のプロセスカートリッジ。
【請求項２７】
前記回動部材は、実質的なリング形状のリング部を有することを特徴とする請求項２６に記載のプロセスカートリッジ。
【請求項２８】
前記回動部材は、前記リング部から突出した突出部を有することを特徴とする請求項２７に記載のプロセスカートリッジ。
【請求項２９】
前記感光体を回転可能に支持する感光体枠体、を有し、
前記現像枠体は、前記感光体に対し前記現像ローラを接離可能なように前記感光体枠体に対し移動可能に結合されていることを特徴とする請求項２８に記載のプロセスカートリッジ。
【請求項３０】
前記現像枠体が前記感光体枠体に対して移動するのに連動して、前記回動部材の前記突出部が前記感光体枠体から力を受けることにより、前記回動部材が回動するよう構成されていることを特徴とする請求項２９に記載のプロセスカートリッジ。
【請求項３１】
前記現像ローラの軸線に沿って見たときに、前記回動部材の前記突出部は、前記現像枠体から前記感光体枠体に向かって突出していることを特徴とする請求項３０に記載のプロセスカートリッジ。
【請求項３２】
前記感光体を回転可能に支持する感光体枠体を有しており、
前記カートリッジが電子写真画像形成装置本体に装着された状態において、前記回動部材は、前記感光体枠体から前記突出部が力を受けるように構成されたことを特徴とする請求項２８乃至３１のいずれか１項に記載のプロセスカートリッジ。
【請求項３３】
前記現像ローラの回転軸線に沿って前記カートリッジを見たときに、前記付勢力受け部は、前記現像ローラを基準として、前記カートリッジ側駆動伝達部材とは逆側に突出していることを特徴とする請求項３２に記載のプロセスカートリッジ。
【請求項３４】
前記カップリング解除部材および前記回動部材は、前記現像枠体に設けられており、
前記付勢力受け部が前記付勢力を受けることにより、前記回動部材の前記突出部が前記感光体枠体から前記力を受け、前記回動部材が回動するように構成されたことを特徴とする請求項３２又は３３に記載のプロセスカートリッジ。
【請求項３５】
前記回動部材の回動軸線は、前記カートリッジ側駆動伝達部材および前記その他のカートリッジ側駆動伝達部材の回転軸線と実質的に同一直線上にあることを特徴とする請求項２４乃至３４のいずれか１項に記載のプロセスカートリッジ。
【請求項３６】
前記カップリング解除部材は、実質的にリング形状のリング部を有することを特徴とする請求項１乃至３５のいずれか１項に記載のプロセスカートリッジ。
【請求項３７】
前記カップリング解除部材の前記リング部が、前記付勢部を有することを特徴とする請求項３６に記載のプロセスカートリッジ。
【請求項３８】
前記付勢部は、前記現像ローラの回転軸線に対し実質的に直交した面を有することを特徴とする請求項３７に記載のプロセスカートリッジ。
【請求項３９】
前記カップリング解除部材は、前記リング部から突出した突出部を有することを特徴とする請求項３６乃至３８のいずれか１項に記載のプロセスカートリッジ。
【請求項４０】
前記突出部は、前記現像ローラの回転軸線に沿った方向に突出していることを特徴とする請求項３９に記載のプロセスカートリッジ。
【請求項４１】
前記突出部は、前記リング部の外周部に設けられ、前記リング部の半径方向外側に凸となる構成であることを特徴とする請求項３９に記載のプロセスカートリッジ。
【請求項４２】
前記カップリング解除部材が前記現像ローラの回転軸線と実質的に平行に移動可能となるように、前記突出部の被ガイド部をガイドするためのガイド部を有することを特徴とする請求項４０または４１に記載のプロセスカートリッジ。
【請求項４３】
前記ガイド部および前記被ガイド部は共に、前記現像ローラの回転軸線と実質的に平行に形成されていることを特徴とする請求項４２に記載のプロセスカートリッジ。
【請求項４４】
更に、カートリッジ枠体を有し、
前記カートリッジ枠体が前記ガイド部を有することを特徴とする請求項４３に記載のプロセスカートリッジ。
【請求項４５】
前記突出部が、前記力受け部を有することを特徴とする請求項４２乃至４４のいずれか１項に記載のプロセスカートリッジ。
【請求項４６】
前記力受け部は、前記現像ローラの回転軸線に対し傾斜していることを特徴とする請求項４５に記載のカートリッジ。
【請求項４７】
前記カップリング解除部材は、前記突出部を複数有することを特徴とする請求項４２乃至４６のいずれか１項に記載のプロセスカートリッジ。
【請求項４８】
複数の前記突出部が、互いに実質的に等間隔で配置されていることを特徴とする請求項４７に記載のプロセスカートリッジ。
【請求項４９】
前記カップリング解除部材は、前記カートリッジ側駆動伝達部材の回転軸線と実質的に同軸上に設けられていることを特徴とする請求項１乃至４８のいずれか１項に記載のプロセスカートリッジ。
【請求項５０】
前記感光体を回転させるための回転力を受ける感光体用駆動伝達部は、前記感光体の回転軸に沿った方向に固定されており、
前記現像ローラを回転させるための回転力を受ける前記カートリッジ側駆動伝達部材は、前記感光体の回転軸に沿った方向に移動可能な構成であることを特徴とする請求項１乃至４９のいずれか１項に記載のプロセスカートリッジ。
【手続補正２】
【補正対象書類名】明細書
【補正対象項目名】０００８
【補正方法】変更
【補正の内容】
【０００８】
上記目的を達成するため、本出願に係る第１の発明は、
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記現像ローラを前記感光体から離間させるために用いられる付勢力を前記本体側付勢部材から受ける付勢力受け部と、
（ｉｖ）前記本体側駆動伝達部材とカップリング可能に構成され、前記現像ローラを回転させるための回転力を前記本体側駆動伝達部材から受けるカートリッジ側駆動伝達部材と、
（ｖ）前記付勢力受け部が前記付勢力を受けることに応じて、前記カートリッジ側駆動伝達部材と前記本体側駆動伝達部材とのカップリングを解除するためのカップリング解除部材と、
を有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】